(57)【特許請求の範囲】
【請求項１】
２つのシェルからなるホルダーと当該ホルダーの自由端に回転可能に且つ取り替え可能に配設されたブラシとを備えてなる歯間クリーニング装置にして、上記ブラシ（５）はボールソケット形軸継手のボール（１９）を備えてなり、ボールソケット形軸継手のソケットが組み立てられ又分解されるべき２つのソケット部材（１７，１８）によって形成され、各ソケット部材（１７，１８）が上記ホルダー（２４）の各シェル（２，３）の一端に各々形成され、かつ、上記ボールソケット形軸継手のソケット部材（１７，１８）の少なくとも一つがロック凹所（２２，２３）を備えたスリット（２１）を有することを特徴とする歯間クリーニング装置。
【請求項２】
ロック機構がシェル（２，３）をそれらの閉じ状態に相互結合するために備えられることを特徴とする請求項１に記載の歯間クリーニング装置。
【請求項３】
上記ロック機構が滑動部（１３）と、ホルダー（２４）の一つ目のシェル（２，３）で上記滑動部（１３）に連結した縦に変位可能なロック部材（１５）と、ホルダー（２４）の二つ目のシェル（３，２）で上記ロック部材（１５）に押し込まれる拘束部材（１６）を備えてなることを特徴とする請求項２に記載の歯間クリーニング装置。
【請求項４】
２つのシェル（２，３）がブラシ（５）から離れた端部（６）でインテグラルヒンジ（９）によって一体化されていることを特徴とする請求項１に記載の歯間クリーニング装置。
【請求項５】
１つ又は幾つかのブラシを収容するためにシェル（２，３）の内側空間に空洞（１２）が形成されていることを特徴とする請求項１に記載の歯間クリーニング装置。
【請求項６】
ブラシ（５）から離れたホルダー（２４）の端部（６）がベース（７）を有することを特徴とする請求項１に記載の歯間クリーニング装置。
【請求項７】
上記ベース（７）にノブタイプの脚部（８）が配設されていることを特徴とする請求項６に記載の歯間クリーニング装置。
【請求項８】
内側エッジから引っ込んで、凹んだグリップ（１０，１１）がシェル（２，３）の少なくとも一方に形成されていることを特徴とする請求項６に記載の歯間クリーニング装置。
【発明の詳細な説明】
【０００１】
【発明の属する技術分野】
本発明は、ブラシとホルダーを備えてなる歯間クリーニング装置に関するもので、この際、ブラシはホルダーの自由端に回転可能に且つ取り替え可能に配設され、ホルダーは２つのシェルからなっている。
【０００２】
【従来の技術及び発明が解決しようとする課題】
一般的なタイプのクリーニング装置は、例えばドイツ連邦共和国実用新案第２９６０１６６１号(DE-U-296 01 661)から公知である。
【０００３】
ブラシが一方では比較的簡単に、他方では安定した停止位置を有してホルダーに対して回転可能であってクリーニング作業にとって望ましい夫々の角度をブラシとホルダーの間でセットするために、ブラシのすわりに関して比較的高い要求がある。
【０００４】
本発明の課題は、一方でブラシの回転支承が使用の最適特性を示し、他方でプラスチックステクノロジーの点からみてシンプルな手段付与乃至要求充足が保証されるような、最初に記載したタイプの歯間クリーニング装置を具現化することにある。
【０００５】
【課題を解決するための手段】
本発明によれば、この課題は、組み立てられまた分解されるべき２つのソケット部材によって形成され一つのソケット部材が同時にシェルの一端に形成されているようなボールソケット形軸継手（玉継手）のボールを備えてなるブラシと、当該ボールソケット形軸継手のソケットとによって成し遂げられる。
【０００６】
ボールソケット形軸継手としてのデザインは、摩擦と止め位置の安定性が高い精度で規定されセットされうることを保証する。しかしながら、選択するプラスチック材料によってリアの凹所に手段付与する可能性が制限されるので、射出成形による球状ベアリングを実施することによって問題が提起される。シェルにソケット部材を添えることによって、リアの凹所の材料と幾何図形的外形の選択に関して如何なる制限もなしに２つのソケット部材を互いにしっかりとつなぐことが可能である。このようにしてポリスチレン、ＳＡＭ、ＰＥＣ、Ｋ樹脂又はアクリルガラスのような透明であるが比較的砕け易い材料を用いることすら可能である。
【０００７】
本発明の他の実施形態に相応して、シェルをその閉鎖状態において相互結合するロック機構が備えられる。このようにして、任意にアクセス可能で、そこで例えば摩耗後の取り替えのためのスペアブラシ又は或るクリーニング目的のために異なるトップを有するブラシを収容するために、シェルの間に内部空間を与えることが可能である。
【０００８】
有利であるには、上記ロック機構は滑動部と、ホルダーの第１シェルでの当該滑動部につながった縦に変位可能なロック部材と、ホルダーの第２シェルでの当該ロック部材が押し込まれる拘束部材とを備えてなっていてもよい。
【０００９】
一方でブラシの回転を可能にするために、またブラシを回転方向に対して垂直な方向において固定し止め位置を安定化するために、ボールソケット形軸継手のソケット部材の少なくとも１つがブラシの柄部を取り囲むロック凹所付きスリットを有していてもよい。
【００１０】
ブラシから離れた端部で、ホルダーの２つのシェルはヒンジによって、特にインテグラルヒンジによって一体化していてもよい。
【００１１】
ブラシから離れたホルダーの端部はベースを有していてもよく、それによって歯間クリーニング装置を洗面所のキャビネット等に置いて場所を節約することが可能である。
【００１２】
確実に直立に立たせるようにするために、脚部はノブタイプの隆起の形状においてベースに形成されうる。
【００１３】
２つのシェルのオープンを簡単にするために、これらシェルの少なくとも１つが内側エッジから引っ込んでいる凹んだグリップを備えることができる。
【００１４】
本発明の詳細は、図面に関連した、好適で例示的な実施形態の以下の記載から明らかになろう。
【００１５】
【発明の実施の形態】
図に示された歯間クリーニング装置１は２つのシェル２，３を備えてなり、その一端にブラシ５を回転可能に装着し、その他端は脚部８を備えたベース７として形成されている。当該シェル２，３はインテグラルヒンジ９を介してフレキシブルに展開可能であるように互いに連結している。展開操作を簡単にするために、凹んだグリップ１０，１１がシェルの夫々に備えられる。符号１２で大まかに示されるように、更に別のブラシがシェル２，３の内側に嵌め込まれることが可能になっている。
【００１６】
２つのシェル２，３を相互結合するために、シェル２の長手方向凹所１４で縦に変位するように位置を決められた滑動部１３が備えられる。その下側で、言い換えれば、シェル２の内側で滑動部１３は、縦に案内されるプラスチック材料の弾性棒によって形成され得るロック部材１５に連結している。拘束部材１６が別のシェル３に取り付けられるが、当該部材は相互結合のために上記ロック部材１５が押し込まれる小孔（アイレット）の形状を有している。
【００１７】
図４との組み合わせで図２から特に認識されるように、半球状のソケット部材１７，１８が、ブラシ側の各シェル２，３の端部４に形作られ、その結果、球状ベアリング凹所が内側に生み出され、ボールソケット形軸継手のボール１９を備えてなり、ブラシ５の柄部２０がこのボール１９に固定される。約９０°の角度にわたって延在するスリット２１がソケット部材１７に形成され、その端部で凹所２２，２３が形成され、その径は柄部２０の径にほぼ対応する一方、スリット２１の幅は柄部２０の径よりも小さくなっており、それゆえにブラシのための２つの安定した止め位置が定められ、即ち、一方でシェル２，３によって形成されたホルダー２４の軸線方向延長部において定められ、他方で当該止め位置に対して垂直に定められる。
【図面の簡単な説明】
【図１】本発明にかかる歯間クリーニング装置の図である。
【図２】図１に比べ９０°だけ回転した、ブラシの回転性を示す図である。
【図３】展開した状態における歯間クリーニング装置の部分的に省略した図である。
【図４】１８０°だけ回転した写角からの、図１に示されたシェルの展開した状態での図である。
【図５】ブラシのベアリング部分の拡大した斜視図である。
【符号の説明】
２，３  シェル
５  ブラシ
９  ヒンジ
１３  滑動部
１５  ロック部材
１６  拘束部材
１７，１８  ソケット部材
２１  スリット
２４  ホルダー
【図１】
0004035218.tif 000002
【図２】
0004035218.tif 000003
【図３】
0004035218.tif 000004
【図４】
0004035218.tif 000005
【図５】
0004035218.tif 000006